(57)【特許請求の範囲】
【請求項１】
枠体１内に圧縮機２とコンデンサ３とエバポレータ４で構成する冷凍回路を備え、
かつ、エバポレータ４を通過する空気流を作る冷風ファン５を設け、この冷風ファン５のファンスクロール５ａと枠体１の正面に配置した冷風吹出口６とを連続する接続筒７を設け、
前記冷風吹出口６の前面側には冷風の吹出し方向を前方から上方へ変更する冷風ダクト８を設け、この冷風ダクト８の枠体１側の開口部によって前記冷風吹出口６を構成し、
この冷風ダクト８の吹出し側は任意方向に冷風の吹出し方向を変更する可撓性素材で形成した冷風機において、
前記接続筒７はこの冷風吹出口６から枠体１内の冷風ファン５のファンスクロール５ａに向けて構成すると共に、
前記エバポレータ４で冷却した空気は前記冷風ファン５によってこの接続筒７を介して冷風吹出口６から前方に吹出し、前記冷風ダクト８はこの前方へ吹出す冷風を上方へ変更しており、
この冷風ダクト８の枠体１側には前面板１ａの一部を構成しながら枠体１への取付部を構成する平面板９を設け、枠体１の前面板１ａの上部を構成する平面板９と枠体１との間には固定部材１０を設け、
前記平面板９の上部に設けた固定部材１０が係合する固定片１４と、平面板９の下部に装着する固定ねじ１２が螺合するねじ孔１５とを枠体１に設け、
該平面板９の上部の固定部材１０に固定片１４が係合し、該平面板９の下部に設けた取付孔１１に固定ねじ１２が装着されて平面板９を枠体１に固定し、
前記枠体１に取付ける冷風ファン５のファンスクロール５ａに金網状ガード１３を取付け、
平面板９を枠体１に固定した時に枠体１の正面の冷風吹出口６から枠体１内に伸びる接続筒７の先端が、金網状ガード１３を有するファンスクロール５ａの端と冷風ダクト８側の接続筒７とが密着しており、
冷風ダクト８に入った物品は金網状ガード１３に止められて冷風ダクト８や接続筒７内に貯まり、その冷風ダクト８の着脱時に金網状ガード１３の前面を開放し、接続筒７や冷風ダクト８に貯まった物品を取り出すことを特徴とする冷風吹出ダクト付冷風機。
【請求項２】
冷風の吹出し方向を前方から上方へ変更する冷風ダクト８の枠体１側の開口部の下端位置は、枠体１内の冷風ファン５のファンスクロール５ａの開口部の下端位置よりも低くなるように配置し、
冷風ファン５のファンスクロール５ａは冷風ダクト８の枠体１側の開口部の上部と対向配置したことを特徴とする請求項１記載の冷風吹出ダクト付冷風機。
【請求項３】
枠体１の前面板１ａに形成した縦長の冷風吹出口６の上部に冷風ファン５のファンスクロール５ａを対向配置し、
該冷風吹出口６の外周から枠体１内に伸びる接続筒７の内端は金網状ガード１３のあるファンスクロール５ａの端に連続し、
冷風の吹出し方向を前方から上方へ変更する冷風ダクト８の枠体１側の開口部の下端位置は、枠体１内の冷風ファン５のファンスクロール５ａの開口部の下端位置よりも低くなるように配置し、
冷風吹出口６とその周囲をおおう冷風ダクト８の平面板９に設けた固定部材１０は冷風吹出口６の上部に設けた固定片１４に固定し、
冷風吹出口６の内側に位置する接続筒７にねじ孔１５を設け、固定ねじ１２とねじ孔１５との螺合によって平面板９の下部を固定する請求項１記載の冷風吹出ダクト付冷風機。
【発明の詳細な説明】
【０００１】
【産業上の利用分野】
この発明は枠体前面の冷風吹出口から吹出す冷風を任意場所に誘導するダクトを備えた冷風機に関するものである。
【０００２】
【従来の技術】
従来の冷風機は枠体内に圧縮機とコンデンサとエバポレータを備え、圧縮機が冷媒を圧縮して高温高圧ガスに変えてコンデンサに送り、コンデンサで液化した冷媒がキャピラリを介してエバポレータに送られて気化する時に周囲を冷却し、更に、この気化した冷媒ガスが圧縮機に戻されて再び圧縮されて循環するものである。従って、コンデンサを通過する空気は冷媒の熱によって高温になり、エバポレータを通過する空気は冷媒の気化熱によって低温になる。
【０００３】
冷風機の枠体内には冷風ファンが備え付けられており、かつ、枠体の前面には冷風吹出口が設けてあり、冷風ファンのファンスクロールと冷風吹出口とは接続筒を介して連続し、冷風ファンがエバポレータを通過した空気を吸引して冷風吹出口から吹出している。そして、枠体の前面の冷風吹出口から吹出す冷風は枠体の前方だけに向いているから、この吹出し方向を任意に変更する冷風ダクトを取付け、先端部の可撓性部材によって、希望する方向や場所に冷風を送って利用することができるようになった。（特開平１０−１９７００６号参照）
【０００４】
【発明が解決しようとする課題】
この枠体前面の冷風吹出口から吹出す冷風の方向を変更するにあたって、あまりダクトが長いと抵抗が大きくなるので好ましくなく、また、使用者は上半身に向けて冷風にあたりたいものであるから、冷風ダクトは枠体の近傍で前方から上方へ吹出し方向を変更し、上方へ向く冷風ダクトの先を任意の方向に向ける使い方が一般的である。
【０００５】
しかし、この構造は家庭で個人が普通に使う時であれば何等問題はないと考えられるが、工場や各種の作業現場で不特定多数の人が使う時には、人為的に、または誤って移動時に落とした小物が冷風ダクトの中に入ることがあり、また、高所に置いた物が風に飛ばされて冷風ダクトの中に入ることは避けられず、物品は上向きの冷風ダクトに誘導されて枠体内に入り、可動部分に噛み込んで器具を壊してしまう恐れがあった。この為、従来の主として家庭で使われる冷風機をそのまま工場や作業現場で使うことはトラブルを発生させやすく問題である。
【０００６】
【課題を解決するための手段】
上記の問題を解決してトラブルを防止するこの発明は、枠体１内に圧縮機２とコンデンサ３とエバポレータ４で構成する冷凍回路を備え、かつ、エバポレータ４を通過する空気流を作る冷風ファン５を設け、この冷風ファン５のファンスクロール５ａと枠体１の正面に配置した冷風吹出口６とを連続する接続筒７を設け、前記冷風吹出口６の前面側には冷風の吹出し方向を前方から上方へ変更する冷風ダクト８を設け、この冷風ダクト８の枠体１側の開口部によって前記冷風吹出口６を構成し、この冷風ダクト８の吹出し側は任意方向に冷風の吹出し方向を変更する可撓性素材で形成した冷風機において、前記接続筒７はこの冷風吹出口６から枠体１内の冷風ファン５のファンスクロール５ａに向けて構成すると共に、前記エバポレータ４で冷却した空気は前記冷風ファン５によってこの接続筒７を介して冷風吹出口６から前方に吹出し、前記冷風ダクト８はこの前方へ吹出す冷風を上方へ変更しており、この冷風ダクト８の枠体１側には前面板１ａの一部を構成しながら枠体１への取付部を構成する平面板９を設け、枠体１の前面板１ａの上部を構成する平面板９と枠体１との間には固定部材１０を設け、前記平面板９の上部に設けた固定部材１０が係合する固定片１４と、平面板９の下部に装着する固定ねじ１２が螺合するねじ孔１５とを枠体１に設け、該平面板９の上部の固定部材１０に固定片１４が係合し、該平面板９の下部に設けた取付孔１１に固定ねじ１２が装着されて平面板９を枠体１に固定し、前記枠体１に取付ける冷風ファン５のファンスクロール５ａに金網状ガード１３を取付け、平面板９を枠体１に固定した時に枠体１の正面の冷風吹出口６から枠体１内に伸びる接続筒７の先端が、金網状ガード１３を有するファンスクロール５ａの端と冷風ダクト８側の接続筒７とが密着しており、冷風ダクト８に入った物品は金網状ガード１３に止められて冷風ダクト８や接続筒７内に貯まり、その冷風ダクト８の着脱時に金網状ガード１３の前面を開放し、接続筒７や冷風ダクト８に貯まった物品を取り出すことができるようにしたものである。
【０００７】
また、冷風の吹出し方向を前方から上方へ変更する冷風ダクト８の枠体１側の開口部によって冷風吹出口６を構成し、該冷風ダクト８の枠体１側に設けた平面板９は枠体１の前面板１ａの上部を構成し、前記接続筒７は冷風ダクト８の枠体１側の開口部で構成する冷風吹出口６から枠体１内の冷風ファン５のファンスクロール５ａに向けて構成すると共に、枠体１には平面板９の上部に設けた固定部材１０が係合する固定片１４と平面板９の下部に装着する固定ねじ１２が螺合するねじ孔１５とを設け、平面板９を枠体１に固定した時に金網状ガード１３を有するファンスクロール５ａの端と冷風ダクト８側の接続筒７とが密着する構成であるから、固定ねじ１２を取外すことによって、枠体１の前面板１ａと接続筒７の全体が取外せるようになった。
【０００８】
また、冷風の吹出し方向を前方から上方へ変更する冷風ダクト８の枠体１側の開口部の下端位置は、枠体１内の冷風ファン５のファンスクロール５ａの開口部の下端位置よりも低くなるように配置し、冷風ファン５のファンスクロール５ａは冷風ダクト８の枠体１側の開口部の上部と対向配置したから、冷風ダクト８から入った物品は冷風ダクト８の枠体１側の開口部付近に貯まっており、金網状ガード１３を物品が直接覆って冷風ファン５から吹出す風を遮ぎるようなことはない。
【０００９】
また、枠体１の前面板１ａに形成した縦長の冷風吹出口６の上部に冷風ファン５のファンスクロール５ａを対向配置し、該冷風吹出口６の外周から枠体１内に伸びる接続筒７の内端は金網状ガード１３のあるファンスクロール５ａの端に連続し、冷風の吹出し方向を前方から上方へ変更する冷風ダクト８の枠体１側の開口部の下端位置は、枠体１内の冷風ファン５のファンスクロール５ａの開口部の下端位置よりも低くなるように配置し、冷風吹出口６とその周囲をおおう冷風ダクト８の平面板９に設けた固定部材１０は冷風吹出口６の上部に設けた固定片１４に固定し、冷風吹出口６の内側に位置する接続筒７にねじ孔１５を設け、固定ねじ１２とねじ孔１５との螺合によって平面板９の下部を固定するから、枠体１の前面を構成する平面板９とねじ孔１５のある接続筒７との間には間隔が存在しており、冷風ダクト８から入った物品は金網状ガード１３で止められ、冷風ダクト８の枠体１側の開口部付近だけでなく、平面板９と接続筒７との間隔に貯めることができた。
【００１０】
【作用】
冷風吹出口６の前面側に設けた冷風ダクト８は吹出し方向を前方から上方へ変更しているから、家庭用のように注意深く使う環境と大きく異なって不特定多数が乱雑に使う事業所などでは、冷風ダクト８に小物が入ることは避けることができない。そして、この冷風ダクト８は直接枠体１内の冷風ファン５などの可動部に連通しているから、冷風ダクト８に物品が入ることは重大なトラブルとなる。この発明は冷風ダクト８に入った物品によるトラブルを回避し、また、冷風ダクト８が簡単に着脱することで入った物品を容易に取り出せるようになった。
【００１１】
また、冷風ダクト８には枠体１の前面板１ａと枠体１への取付板の働きをする平面板９を設けており、平面板９は一方が固定部材１０と固定片１４、他方が取付孔１１を介して固定ねじ１２とねじ孔１５の螺合によって固定しているから、固定ねじ１２を外すことで金網状ガード１３の前面が開放でき、金網状ガード１３や接続筒７や冷風ダクト８内に物品が貯まっていても排除できる。
【００１２】
【実施例】
図に示す冷媒を使う冷凍回路を用いる冷風機の実施例によってこの発明を説明すると、１は冷風機の枠体、１ａは枠体１の正面を構成する前面板である。２は枠体１内に設置した圧縮機、３は圧縮機２で圧縮された冷媒が高温高圧ガスとなって送られるコンデンサ、４はコンデンサ３で放熱して液化した冷媒がキャピラリを介して送られるエバポレータであり、冷媒はエバポレータ４に送られて気化し、冷媒の気化熱によって周囲を冷却するものである。その後エバポレータ４で気化した冷媒ガスは圧縮機２に戻され、再び圧縮機２で加圧された冷媒がコンデンサ３に送られて循環している。
【００１３】
１６は枠体１の背面側に配置した排気口、１７はコンデンサ３を冷却する空気を送風する排熱ファンであり、排熱ファン１７によって送風される空気はコンデンサ３を通過し、この時圧縮機２から送られる高温高圧のガス状冷媒が冷却されて液化する。そして、コンデンサ３を通過して高温となった空気は排気口１６から排出される。
【００１４】
６は枠体１の正面に配置した冷風吹出口、５はエバポレータ４を通過した空気を冷風吹出口６から吹出す冷風ファン、５ａは冷風ファン３の風を誘導するファンスクロール、７は冷風吹出口６から枠体内１内に伸びて先端がファンスクロール５ａと連続する接続筒であり、冷風ファン５はエバポレータ４で冷却した空気を接続筒７を介して冷風吹出口６から吹出している。
【００１５】
１８は枠体１内を冷却空気が通過する部分と加熱空気が通過する部分とを二分する仕切板、１９は仕切板１８に取付けたモータであり、前記冷風ファン５と排熱ファン１７はモータ１９に取付けられ一緒に回転している。
【００１６】
２０は枠体１の下部に設けたドレンタンク、１ｂはドレンタンク２０の側方に位置する下部前面板であり、エバポレータ４で冷却される空気に含まれる水分が凝縮してドレンタンク２０に溜り、このドレンタンク２０は下部前面板１ｂを取外して枠体１から取り出して捨て水する。
【００１７】
８は冷風吹出口６の前面側に配置して冷風の吹出し方向を前方から上方へ変更する冷風ダクト、９は冷風ダクト８の枠体１側の開口部付近の外周に形成した平面板であり、該平面板９によって冷風ダクト８を枠体１に取付けている。また、冷風ダクト８の吹出し側は可撓性素材で構成しており、使用者の最適な方向に冷風ダクト８の先端を向けて冷風を吹出して使用することができる。
【００１８】
この種の冷風機の事業所用は背が高く能力も大きく、吹出し方向を変える冷風ダクトの先端は冷風機の上部から下向きか水平にして使われている。これに比べて家庭用は能力が小さく背も低く、冷風ダクトが短いから吹出し方向を上向きで使われる事例が多い。そして、家庭では使用者が決まって丁寧に扱われる為に、上方に向けた冷風ダクトに物品が入る事例はほとんど無く今まで問題なく使用されてきたが、最近手軽さから家庭用の小形の冷風機を不特定多数が使用する事業所用に使われる事例が増え、冷風ダクトに物品が入って枠体内の冷風ファンを壊してしまうトラブルが多くなった。
【００１９】
この発明は家庭用に使われる小形の冷風機でも事業所などでトラブル無く使用できる構造を提案するので、１３は冷風ファン５のファンスクロール５ａ側に取付けた金網状ガード、１０は冷風ダクト８の上部と枠体１との間に設けた固定部材、１４は固定部材１０の枠体１側の部品である固定片である。図に示す実施例の固定部材１０は冷風ダクト８の平面板９側の突起と枠体１の固定片１４側の係止孔で構成し、平面板９を下方に押し下げた時に嵌合固定するものであるが、この部分はありふれたねじによる固定手段を使って、固定部材１０を構成しても良い。
【００２０】
１１は冷風ダクト８の平面板９の下部に設けた取付孔、１２は取付孔１１に装着する固定ねじ、１５は枠体１に設けたねじ孔であり、冷風ダクト８は平面板９の上部を固定部材１０で固定して、その後、平面板９の下部に設けた取付孔１１に固定ねじ１２を通して固着するものであり、逆に固定ねじ１２を外すことで冷風ダクト８が平面板９と一緒に取外せるものである。
【００２１】
このように冷風ダクト８に誤って物品が入っても、この物品は金網状ガード１３によって止められて、冷風ファン５の可動部分まで侵入しないものであり、また、冷風ダクト８を外した状態では金網状ガード１３の前面が開放しており、冷風ダクト８に入った物品は冷風ダクト８や接続筒７や金網状ガード１３に貯まっているから簡単に取り出すことができるものである。
【００２２】
このように冷風ダクト８を着脱するためには固定ねじ１２を使用しなければならないが、冷風吹出口６は枠体１の正面にあるから、冷風ダクト８に近い周囲だけに平面板９を構成すると正面に固定ねじ１２の頭が現われてせっかくのデザインを壊してしまうことがある。この発明では平面板９の面積を広く構成して枠体１の上部の前面板１ａを平面板９によって構成したから、固定部材１０や取付孔１１は広い平面板９の目立ちにくい周縁部に構成できるようになった。
【００２３】
図１に示す実施例において、枠体１の前面板１ａは上部が冷風ダクト８の平面板９で構成し、前面板１ａの下部はドレンタンク２０の開閉扉を兼ねる下部前面板１ｂで構成したから、平面板９の上部の固定部材１０は枠体１内で係合固定しており、かつ、平面板９の下部の取付孔１１の部分は着脱自在の下部前面板１ｂが取付けられた時に隠れる位置とすることができ、全く着脱構造が表面に現われないようにすることができる。
【００２４】
また、平面板９が枠体１の前面板１ａの働きをする時には、接続筒７は冷風ダクト８側から冷風ファン５のファンスクロール５ａに向けて構成しており、ファンスクロール５ａの端と接続筒７とが密着するから、冷風ダクト８を取外した時にはファンスクロール５ａの金網状ガード１３が露出し、冷風ダクト８に入った物品が金網状ガード１３に引っかかる時でも簡単に取り出すことができるものである。
【００２５】
一方、冷風ダクト８に入った物品が枠体１内部の可動部品に噛み込んで壊してしまうことを防ぎ、平面板９の部分から冷風ダクト８を取外して内部に貯まっている物品が取り出せても、物品が入る度に冷風ダクト８の着脱操作を行なうことはかなり面倒である。この発明は従来の冷風ファン５のファンスクロール５ａの先端の開口部と冷風ダクト８の枠体１側の開口部との形状を一致させ、冷風ファン５の風をスムーズに上方へ変更する構造の見直しを行なうものである。
【００２６】
即ち、冷風ダクト８の枠体１側の開口部の下端位置は冷風ファン５のファンスクロール５ａの下端位置よりも低い位置とし、冷風ファン５の風は冷風ダクト８の枠体１側の開口部の上部に向けて送風するから、もし、冷風ダクト８に物品が入った時には金網状ガード１３で侵入を止められ、低い位置となった冷風ダクト８の枠体１側の開口部付近に貯まっており、この位置では冷風ファン５の風の流れの障害になりにくいから、ある程度物品が貯まるまで冷風機の継続使用が可能になったものである。
【００２７】
また、図３の実施例では枠体１の前面板１ａに縦長の冷風吹出口６を形成し、この冷風吹出口６の外周とファンスクロール５ａとを接続筒７で連続させ、更に冷風ダクト８の枠体１側の開口部の下端位置をファンスクロール５ａの下端位置よりも低くし、冷風ダクト８の平面板９が冷風吹出口６の下部を覆う構成としたから、平面板９と接続筒７との間に間隔が形成でき、冷風ダクト８内に入った小さなねじなどの物品はこの平面板９と接続筒７との間隔に入るから、冷風ダクト８の枠体１側の開口部付近は比較的大きな物品だけが貯まっており、冷風ダクト８を着脱するまでの時間が長くなったものである。
【００２８】
【発明の効果】
以上のように、この発明では冷風吹出口６の前面側に配置した冷風ダクト８が吹出し方向を前方から上方へ変更しており、管理の目が届きにくい不特定多数が使う工場や各種の作業現場では、上方へ向いた冷風ダクト８の端から小物が入る可能性が非常に高く、しかも、この冷風ダクト８は直接枠体１内の冷風ファン５などに連続しており、冷風ダクト８に物品が入れば可動部分に噛み込んで重大なトラブルを発生させる恐れがある。
【００２９】
この発明は冷風ダクト８に連続する冷風ファン５のファンスクロール５ａには金網状ガード１３を取付けて、物品が冷風ファン５まで侵入しないようにすると共に、冷風ダクト８の平面板９には固定部材１０と固定ねじ１２を取付けて冷風ダクト８を取外し自在にしており、冷風ダクト８に入った物品によるトラブルを回避できたもので、はじめて上向きの冷風ダクト８を備えた通常は家庭用として使われる冷風機を、事業所専用としても安全に使用できるようになったものである。
【００３０】
また、冷風ダクト８を取外し自在とするために、枠体１の前面板１ａと枠体１への取付板の働きをする平面板９を設けており、平面板９は一方が固定部材１０と固定片１４、他方が取付孔１１を介して固定ねじ１２とねじ孔１５の螺合によって固定しているから、固定ねじ１２を外すことで金網状ガード１３の前面が開放でき、金網状ガード１３や接続筒７や冷風ダクト８内に物品が侵入して貯まっても容易に取り出せるようになったものである。
【００３１】
また、冷風ダクト８の枠体１の前面板１ａの一部を構成する平面板９は、冷風ダクト８の周囲だけでなく、枠体１の前面板１ａの上部全体を構成すれば、この広い面積を持つ平面板９の目立たない周縁などに固定部材１０や取付孔１１を設けることができて、冷風機の前面デザインがゴチャゴチャせずにシンプルなデザインにまとめることができるものである。また、この構造であれば接続筒７を冷風ダクト８の枠体１側の開口部付近から構成することによって、平面板９を取外した時にはファンスクロール５ａの端が直接開放でき、金網状ガード１３の表面を露出させて金網状ガード１３に付着した物品が容易に取り出せるようになったものである。
【００３２】
一方、冷風ダクト８の端から侵入した小物が冷風機の部品に噛み込んで壊してしまうことは避けなければならないが、侵入した物品が吹出す冷風の障害になることは問題である。従来では冷風ファン５から吹出す冷風の向きをを円滑に上方へ変更する目的で、ファンスクロール５ａの下部から冷風ダクト８に向かう流路を連続させることが行なわれているが、この発明では冷風ダクト８の枠体１側の開口部の下端位置をファンスクロール５ａの下端位置よりも低く設定したから、もし、物品が冷風ダクト８に侵入して金網状ガード１３で止められた時には、この物品は金網状ガード１３から離れた低い位置の冷風ダクト８の枠体１側の開口部付近に貯まり、一方、冷風ファン５のファンスクロール５ａは冷風ダクト８の開口部の上部と対向させたから、侵入した物品によって冷風の流れが乱されることがあっても、送風量が大きく低下する恐れはなくなったものである。
【００３３】
また、枠体１の前面板１ａに形成した冷風吹出口６は縦長に形成し、ファンスクロール５ａは冷風吹出口６の上部に対向させ、接続筒７は縦長の冷風吹出口６の外周からファンスクロール５ａの端に連続する構造とし、更に、冷風ダクト８の枠体１側の開口部の下端位置をファンスクロール５ａの下端位置よりも低くして、侵入した物品が冷風ダクト８の枠体１側の開口部付近に貯まる構造を実施した時には、冷風ダクト８の平面板９と接続筒７とで形成される空間を冷風ダクト８から連続させることによって、冷風ダクト８に侵入した物品が小ねじなどの小物の時には平面板９と接続筒７との間の空間に落ち込み、冷風ダクト８の枠体１側の開口部付近には貯まらないから、この部分に貯まる物品は大きなものだけとなり、侵入する物品が多くなっても送風量の低下は少なくなるものである。
【図面の簡単な説明】
【図１】この発明の実施例を示す冷風機の冷風ダクト部分を示す要部断面図である。
【図２】図１に示す実施例の冷風ダクトを取付けた冷風機の断面図である。
【図３】他の実施例による冷風ダクトを取付けた冷風機の断面図である。
【符号の説明】
１    枠体
１ａ  前面板
２    圧縮機
３    コンデンサ
４    エバポレータ
５    冷風ファン
５ａ  ファンスクロール
６    冷風吹出口
７    接続筒
８    冷風ダクト
９    平面板
１０    固定部材
１１    取付孔
１２    固定ねじ
１３    金網状ガード
１４    固定片
１５    ねじ孔
【図１】
0003570276.tif 000002
【図２】
0003570276.tif 000003
【図３】
0003570276.tif 000004